(57)【要約】【課題】対面での飛沫を防止すると共に、当事者間以外には情報が漏洩しづらく、好印象で対応を適切に行うことのできる対面用パーティションを提供する。【解決手段】対面用パーティション１は、外来者７０に対して応対者６０が対応するためのパーティションであって、正面板１０と、正面板１０の左右両端に連結する一対の対向した側面板２０Ｒ、２０Ｌと、を備えている。側面板２０Ｒ、２０Ｌは、半透明板からなる。正面板１０は、中央部１０ａが透明板からなり、周辺部１０ｂは半透明板からなる。半透明板からなる天板３０を備えていることが好ましい。【選択図】図１
0003227794.tif 000002
【実用新案登録請求の範囲】
【請求項１】
外来者等に対して応対者が対応するための対面用パーティションであって、正面板と、該正面板の左右両端に連結する一対の対向した側面板と、を備え、該側面板は、半透明板からなり、該正面板は、少なくとも中央部が透明板からなることを特徴とする対面用パーティション。
【請求項２】
前記正面板と前記一対の側面板はそれぞれ丁番により連結され、折り畳み可能とした請求項１に記載の対面用パーティション。
【請求項３】
前記正面板と前記一対の側面板はそれぞれ着脱可能な係止部材により係止可能とした請求項１に記載の対面用パーティション。
【請求項４】
一対の請求項２に記載の対面用パーティションを、応対する向きが同一に並列配置した対面用パーティションであって、一対の正面板同士が丁番で接続形成され、該一対の正面板同士が、重なり合うように折り畳み可能とした対面用パーティション。
【請求項５】
更に、上部に天板を備えた請求項１乃至４のうちのいずれか１項に記載の対面用パーティション。
【請求項６】
前記天板は、半透明板である請求項５に記載の対面用パーティション。
【請求項７】
前記天板は、該天板の一端が前記正面板の上端に丁番により連結され、両側端が前記側面板の上端に着脱可能に取着した係止片上に載置固定された請求項５又は６に記載の対面用パーティション。
【請求項８】
前記天板は、該天板の一端が前記正面板の上端に着脱可能に取着した係止片上に載置固定され、該天板の両側端が前記側面板の上端に着脱可能に取着した係止片上に載置固定された請求項５又は６に記載の対面用パーティション。
【請求項９】
前記正面板の下部に書類等が授受可能である貫通孔が形成されている請求項１乃至８のうちのいずれか１項に記載の対面用パーティション。
【請求項１０】
前記半透明板は、樹脂製中空シート又は、透明板に半透明シールを貼付したものである請求項１乃至９のうちのいずれか１項に記載の対面用パーティション。
【請求項１１】
前記透明板は、塩化ビニル板、アクリル板、ポリプロピレン板、ポリカーボネイト板、又は、ポリエチレンテレフタレート板である請求項１乃至１０のうちのいずれか１項に記載の対面用パーティション。
【考案の詳細な説明】
【技術分野】
【０００１】
本考案は、対面用パーティションに関する。更に詳しくは、本考案は、窓口における当事者間の飛沫を防止するとともに、近距離で待機する外来者等に個人情報が漏洩するのを防止することのできる対面用パーティションに関する。
【背景技術】
【０００２】
近年、飛沫感染による疾病が流行するに至り、様々な対策が取られている。特に、人同士の間隔をあけて飛沫感染を防ぐことが推奨されている。しかしながら、対面での対応を余儀なくされる業務、事業などがあり、人同士の近距離での対面を避けられない場合がある。
そこで、対面業務においては、図９に示すような、テーブル等に載置した台座９７と、その台座９７に取り付けた透明板９６からなるパーティション９８が、知られている。
このパーティションであれば、対面での飛沫感染を防ぐことができる。また、設置が必要な個所に移動することができる。
【０００３】
また、窓口業務において、応対者と外来者を仕切る衝立の考案が提案されている（例えば、特許文献１参照。）。この特許文献１に記載の衝立は、カウンターに設置したレールに沿って衝立を移動可能にしたものである。
この衝立であれば、窓口業務の繁閑に応じて、衝立をレールに沿って移動させて遮蔽位置を変更することができる。こうすることで、遮蔽しない部分を窓口として外来者と応対することができる。
【先行技術文献】
【特許文献】
【０００４】
【特許文献１】実用新案登録第２５３３１０９号公報
【考案の概要】
【考案が解決しようとする課題】
【０００５】
しかしながら、特許文献１の衝立は、レール金具に取り付ける構造であるため、設置が必要な箇所に、自由に移動することはできない。また、そもそも対面する位置に衝立等がないため、飛沫対策を目的としたものではない。
【０００６】
また、図９に示すパーティションでは、窓口応対者が個人情報などを取り扱う場合、窓口で対応すると近距離で待機する外来者に情報を読み取られてしまうおそれがある。
そのため、窓口の応対者の周囲を不透明な板で遮蔽してしまうことが考えられる。そうすることで、近距離の他者に情報を読み取られるおそれはなくなる。
しかしながら、不透明な板で遮蔽してしまうと、外来者にとっては、窓口の応対者の存在及び行動を外部から認識しづらく、不安な気持を抱かせやすくなる。
【０００７】
ここで、外部から応対者の存在を認識可能としつつ、対面での対応においては当事者間以外には情報が漏洩しづらい環境が要請される。
本考案は、簡易な構成で、対面での飛沫を防止すると共に、当事者間以外には情報が漏洩しづらく、好印象で対応を適切に行うことのできる対面用パーティションを提供することを目的とする。
【課題を解決するための手段】
【０００８】
本発明における課題を解決するための手段は、以下の通りである。
１．外来者等に対して応対者が対応するための対面用パーティションであって、正面板と、該正面板の左右両端に連結する一対の対向した側面板と、を備え、該側面板は、半透明板からなり、該正面板は、少なくとも中央部が透明板からなることを特徴とする対面用パーティション。
２．前記正面板と前記一対の側面板はそれぞれ丁番により連結され、折り畳み可能である１．に記載の対面用パーティション。
３．前記正面板と前記一対の側面板はそれぞれ着脱可能な係止部材により係止可能とした１．に記載の対面用パーティション。
４．一対の２．に記載の対面用パーティションを、応対する向きが同一に並列配置した対面用パーティションであって、一対の正面板同士が丁番で接続形成され、該一対の正面板同士が、重なり合うように折り畳み可能とした対面用パーティション。
５．更に、上部に天板を備えた１．乃至４．のうちのいずれか1項に記載の対面用パーティション。
６．前記天板は、半透明板である５．に記載の対面用パーティション。
７．前記天板は、該天板の一端が前記正面板の上端に丁番により連結され、両側端が前記側面板の上端に着脱可能に取着した係止片上に載置固定された５．又は６．に記載の対面用パーティション。
８．前記天板は、該天板の一端が前記正面板の上端に着脱可能に取着した係止片上に載置固定され、該天板の両側端が前記側面板の上端に着脱可能に取着した係止片上に載置固定された５．又は６．に記載の対面用パーティション。
９．前記正面板の下部に書類等が授受可能である貫通孔が形成されている１．乃至８．のうちのいずれか1項に記載の対面用パーティション。
付したものである１．乃至９．のいずれか1項に記載の対面用パーティション。
１０．前記半透明板は、樹脂製中空シート又は、透明板に半透明シールを貼付したものである１．乃至９．のいずれか1項に記載の対面用パーティション。
１１．前記透明板は、塩化ビニル板、アクリル板、ポリプロピレン板、ポリカーボネイト板、又は、ポリエチレンテレフタレート板である請求項1乃至１０のうちのいずれか1項に記載の対面用パーティション。
【考案の効果】
【０００９】
１．本発明の対面用パーティションは、正面板と、正面板の左右両端に連結する一対の対向した側面板と、を備えており、側面板は、半透明な素材からなり、正面板は、少なくとも中央部が透明な素材からなるため、対面での応対において当事者間では、対面して書類等を認識可能であり、当事者間以外には情報が漏洩しづらい。一方、当事者以外の近距離の外来者等は外部から窓口の応対者の存在を認識可能であるため、安心して待機することができる。すなわち、本考案の対面用パーティションによれば、簡易な構成で、対面での飛沫を防止すると共に、当事者間以外には情報が漏洩しづらく、好印象で対応を適切に行うことができる。
２．また、正面板と一対の側面板がそれぞれ丁番により連結され、折り畳み可能であるである場合には、不要時においてはコンパクトに収納可能である。
３．正面板と一対の側板がそれぞれ着脱可能な係止部材により係止可能である場合にも、係止部材を取り外すことで分解してコンパクトに収納できる。
４．一対の対面用パーティションを応対する向きが同一に並列配置した対面用パーティションであって、一対の正面板の外面同士が丁番で接続形成されている場合には、折り畳み可能であるため、コンパクトな収納が可能となる。
５．更に、上部に天板を備えている場合には、上方向からの飛沫を防ぐことができる。
６．前記天板は、半透明板である場合には、上方向からの飛沫を防ぐことに加え、個人情報等が見えない程度に上方からの視線を遮ることができる。
７．天板の一端が正面板の上端に丁番により連結され、両側端が前記側面板上端に着脱可能に取着した係止片上に載置固定される場合には、天板の折り畳みが容易となる。
８．天板の一端が正面板の上端に着脱可能に取着した係止片上に載置固定され、天板の両側端が側面板の上端に着脱可能に取着した係止片上に載置固定されている場合には、天板の着脱が容易となる。
９．正面板の下部に書類等が授受可能である貫通孔が形成されている場合には、当事者間での書類等が授受を行いやすい。
１０．半透明板は、樹脂製中空シート又は、透明板に半透明シールを貼付したものである場合には、本考案における半透明板として特に有効である。
１１．透明板が、塩化ビニル板、アクリル板、ポリプロピレン板、ポリカーボネイト板、又は、ポリエチレンテレフタレート板である場合には、本考案における透明板として特に有効である。
【図面の簡単な説明】
【００１０】
【図１】実施形態１の対面用パーティション及びその使用状態を示す模式的な斜視図である。
【図２】実施形態１の対面用パーティションの模式的な斜視図である。
【図３】実施形態２の対面用パーティションの模式的な斜視図である。
【図４】実施形態３の対面用パーティションの模式的な斜視図である。
【図５】実施形態３の対面用パーティションの折り畳む方法を示す説明図であり、（ａ）天板の折り畳み方法、（ｂ）両側面板の折り畳み方法を示す。
【図６】図６の続きであり、（ａ）両側板を折り畳んだ状態から、更に丁番を軸として、折り畳む方法、（ｂ）最終的に折り畳んだ状態の対面用パーティションを包装容器に挿着する様子を示す説明図である。
【図７】実施形態４の対面用パーティションの模式的な斜視図である。
【図８】（ａ）〜（ｃ）正面板の半透明板と透明板を構成する形態の例を示す。
【図９】従来の対面用パーティションの例を示す模式的な斜視図である。
【考案を実施するための形態】
【００１１】
［第１実施形態］
本考案を具体化した第１実施形態に係る対面用パーティション１を図１及び図２に示す。
対面用パーティション１は、外来者７０に対して応対者６０が対応するためのパーティションであって、通常、テーブル８５等に設置して使用する。
対面用パーティション１は、正面板１０と、正面板１０の左右両端に連結する一対の対向した側面板２０Ｒ、２０Ｌと、を備えている。側面板２０Ｒ、２０Ｌは、半透明板からなる。
ここで「半透明板」は、近距離において、板を通して応対者６０又は書類８０等の存在を認識できるが、応対者の特定、書類６０等の記載内容までは読み取れない程度の板をいう。半透明板の材質は、特に限定はなく、例えば樹脂製中空シートを用いることができる。又、透明板に半透明シールを貼付したものでもよい。
一方「透明板」は、近距離において、板を通して人物の特定、書類等の記載内容までは読み取れる程度の板をいう。
透明板の材質は、特に限定はなく、例えば、塩化ビニル板、アクリル板、ポリプロピレン板、ポリカーボネイト板、又は、ポリエチレンテレフタレート板を使用することができる。
【００１２】
正面板１０は、中央部１０ａが透明板からなり、周辺部（両側部）１０ｂは半透明板からなる。
透明板と半透明板とからなる構成は、特に限定されず、一体に形成されていてもよいが、例えば一部を重ね合わせて接着した構成を採ることができる。
なお、正面板は、「少なくとも」中央部が透明板であれば足り、正面板全体が透明板であるものも含む。
【００１３】
また、図８（ａ）に示す正面板１１のように、中央部１１ａが矩形面で周辺部１１ｂが、矩形面を除いた部分であってもよい。
更に、図7（ｂ）に示す正面板１２のように、中央部１２ａが円形面で周辺部１２ｂが、円形面を除いた部分であってもよい。
また、図7（ｃ）に示す正面板１３のように、中央部１３ａが上下を除いた中央部であり、周辺部１２ｂが、上下部分であってもよい。
【００１４】
正面板１０の下部に書類等が授受可能である貫通孔１０ｈが形成されていることが好ましい。貫通孔１０ｈを通して当事者間での書類等が授受を行いやすい。
ただし、貫通孔を設けず、対面用パーティションの下方が解放するように台上に載置して、解放箇所から書類等の授受を行ってもよい。
【００１５】
図２に示すように、側面板２０Ｒ、２０Ｌは、正面板１０の左右両端にそれぞれ上下に設けた丁番４０、４０によって連結されている。このため、内側に折り畳み可能である。
なお、連結方法は必ずしも丁番又は後述の係止部材に限定されず、螺子、接着剤などで固着されていてもよい。
【００１６】
対面用パーティション１の上部に天板３０を備えていることが好ましい。天板３０を備えている場合には、上方向からの飛沫を防ぐことができる。
天板３０は、その一端が正面板１０の上端に丁番４０により連結され、両側端が側面板２０Ｒ、２０Ｌの上端に着脱可能に取着した係止片５０、５０としての載置クリップ上に載置固定されている。このため、係止片５０、５０を取り外すと、天板３０は、正面板１０の内側に折り畳むことができる。
そして、側面板２０Ｒ、２０Ｌは、正面板１０を折り畳んだ上で更に折り畳むことができる。こうすることで、不要時においてはコンパクトに収納可能である。
【００１７】
対面用パーティション１によれば、側面板２０Ｒ、２０Ｌは、半透明板からなり、正面板１０は、中央部１０ａが透明板からなり、周辺部１０ｂとなる左右の板が半透明板からなる。そのため、対面での応対において当事者間では、透明板を通して対面して書類等を認識できる。
一方、当事者以外の近距離の外来者等は、半透明板からなる側面板２０Ｒ、２０Ｌ及び、正面板１０の周辺部１０ｂにより、人物の特定、書類等の記載内容までは読み取れないが、半透明板を通して人物又は書類等の存在を認識できるため、安心して待機することができる。
また、天板３０も半透明板である場合には、上方向からの飛沫を防ぐことに加え、個人情報等が見えない程度に上方からの視線を遮ることができる。
【００１８】
[第２実施形態]
本考案を具体化した第２実施形態に係る対面用パーティション２を図３に示す。
対面用パーティション２は、正面板１０と、正面板１０の左右両端に連結する一対の対向した側面板２０Ｒ、２０Ｌと、を備えている。
正面板１０と一対の側面板２０Ｒ、２０Ｌはそれぞれ着脱可能な４個の係止部材５５により、正面板１０の４隅と側面板２０Ｒ、２０Ｌの上下端部を係止している。係止部材５５としては、図３に示すＬ型クリップを用いることができる。
【００１９】
対面用パーティション２の上部に天板３０を備えていることが好ましい。天板３０は、天板３０の一端が正面板１０の上端に着脱可能に取着した係止片５０、５０としての載置クリップ上に載置固定され、天板３０の両側端が側面板２０Ｒ、２０Ｌの上端に着脱可能に取着した係止片５０、５０上に載置固定されている。
【００２０】
対面用パーティション２が、第１実施形態に係る対面用パーティション１と相違している点は、正面板１０、側面板２０Ｒ、２０Ｌ、天板３０を連結する丁番４０に替えて、係止部材５５を用いている点である。
対面用パーティション２のその他の構成、作用効果については、対面用パーティション１と同様であり、前述のとおりである。
【００２１】
[第３実施形態]
本考案を具体化した第２実施形態に係る対面用パーティション３を図４に示す。
対面用パーティション３は、一対の対面用パーティション１を、応対する向きが同一に並列配置して構成されている。このように、構成することで、同時に２人で外来者等に応対することができるため効率的である。
対面用パーティション３は、一対の正面板１０、１０の外面同士が丁番４０、４０で接続形成されている。そのため、一対の正面板１０、１０同士が、重なり合うように外方向へ、折り畳み可能となる。
【００２２】
具体的な折り畳み方法を、図５〜図６に示す。まず、図５（ａ）に示すように、係止片５０としてのそれぞれの側面板から載置クリップを取り外し、天板３０、３０を下方に折り畳む。
次いで、図５（ｂ）に示すように、それぞれの側面板２０Ｒ、２０Ｌを内側に折り畳む。
そして、図６（ａ）に示すように、正面板１０、１０の外面同士が重なるように折り畳む。
次いで、図６（ｂ）に示すように、収納箱９５の本体９５ｂに仕舞い込み、蓋９５ａを閉じて収納を完了する。
このように、対面用パーティション３は、コンパクトに収納ができる。
対面用パーティション３のその他の構成、作用効果については、対面用パーティション１と同様であり、前述のとおりである。
【００２３】
[第４実施形態]
本考案を具体化した第４実施形態に係る対面用パーティション４を図７に示す。対面用パーティション４は、一対の対面用パーティション２を、応対する向きが同一に並列配置して構成されている。隣接する側面板２０Ｒ、２０Ｌを連結するには、対面用パーティション２の隣接する係止部材５５、５５に代えて係止部材５７としてのＴ型クリップにより、隣接する側面板２０Ｒ、２０Ｌを連結することができる。
対面用パーティション４も、すべて係止部材により連結しているため、係止部材を取り外すことで、正面板１０、側面板２０Ｒ、２０Ｌをすべて分解することができ、コンパクトに収納できる。
対面用パーティション４のその他の構成、作用効果については、対面用パーティション１と同様であり、前述のとおりである。
【符号の説明】
【００２４】
１、２、３、４・・・・対面用パーティション
１０、１１、１２、１３・・・・正面板
１０ａ、１１ａ、１２ａ、１３ａ・・・・中央部
１０ｂ、１１ｂ、１２ｂ、１３ｂ・・・・周辺部
２０Ｒ、２０Ｌ・・・・側面板
３０・・・・天板
４０・・・・丁番
５０・・・・係止片（載置クリップ）
５５・・・・係止部材（Ｌ型クリップ）
５７・・・・係止部材（Ｔ型クリップ）
６０・・・・応対者
７０・・・・外来者
【図１】
0003227794.tif 000003
【図２】
0003227794.tif 000004
【図３】
0003227794.tif 000005
【図４】
0003227794.tif 000006
【図５】
0003227794.tif 000007
【図６】
0003227794.tif 000008
【図７】
0003227794.tif 000009
【図８】
0003227794.tif 000010
【図９】
0003227794.tif 000011